(57)【特許請求の範囲】
【請求項１】
コータロールに巻回されて走行する原紙の表面にカーテンコータヘッドから塗工液をカーテン状に流下させて直接塗布させるようにしてあるカーテンコータにおける上記塗工液塗布位置の直後の位置で、外周面に長手方向へ所要間隔で環状の溝を設け且つ該溝の部分に多数の吸引孔を穿設したサクションロールにより、原紙の裏面から吸引力を作用させて原紙に対する塗工液の接着力を強化させるようにすることを特徴とするカーテンコータにおける塗工液接着力強化方法。
【請求項２】
外周面に長手方向へ所要間隔で環状の溝を設け且つ該溝の部分に多数の吸引孔を穿設したサクションロールの吸引力を任意にコントロールするようにした請求項１記載のカーテンコータにおける塗工液接着力強化方法
【請求項３】
コータロールに巻回されて走行する原紙の表面にカーテンコータヘッドから塗工液をカーテン状に流下させて直接塗布させるようにしてあるカーテンコータにおける上記塗工液塗布位置の直後の位置に、外周面に長手方向へ所要間隔で環状の溝を設け且つ該溝の部分に多数の吸引孔を穿設した複数のサクションロールを、上記溝の位相が互いにずれて原紙の裏面全幅に対応するように原紙走行方向に並べて配設した構成を有することを特徴とするカーテンコータにおける塗工液接着力強化装置。
【発明の詳細な説明】
【０００１】
【発明の属する技術分野】
本発明は製紙工場において製造される紙を原紙としてその表面に塗工液（塗工用カラー）を塗布するカーテンコータにおいて用いる原紙への塗工液の接着力を強化させるための方法及び装置に関するものである。
【０００２】
【従来の技術】
製紙工場で製造された紙はそのままの形で直ちに使用されることはなく、それを原紙として更に加工を施すことにより所望の目的に適合する製品としての加工紙とする場合が多い。加工紙には種々のものがあるが、その１つに、塗被加工紙がある。塗被加工紙は、紙の表面に塗工液を塗布させて製造するもので、塗被加工紙を製造する塗工装置の１つにカーテンコータがある。
【０００３】
カーテンコータは、図４に一例の概略を示す如くコータロール１に巻回された原紙２を下流側へやや上向き角度でガイドロール３に沿わせて走行させるようにして、該コータロール１を通過した原紙２の直上方位置に、塗工液４を原紙２の幅方向に一様なカーテン４ａとして流下させるようにするカーテンコータヘッド（給液ヘッド）５を設置し、該カーテンコータヘッド５から紙幅より広い範囲でカーテン４ａとして流下される塗工液４を、走行する原紙２の表面に直接塗布させるようにしてある。
【０００４】
上記カーテンコータによる塗工作業は、予め計量された塗工液４が直接原紙２の表面に塗布されるため、塗布後の計量を、他の塗工装置であるブレードコータやロールコータの如きブレードやロールのニップにより行うという必要性がないため、余剰な塗工液４の循環によるロスがないこと、紙切れが少ないこと、非常にスムーズな塗工表面が得られること、等の特長がある反面、原紙２に塗工液４を塗布した後に計量を行わないことから、塗工液４が原紙２に浸透（原紙の繊維の隙間に塗工液が含浸する）する圧力を発生させることが難しく、そのため、塗工液４の原紙２に対する接着力が低下する傾向にある。塗工液４の原紙２に対する接着力が不足すると、その加工紙への印刷時に印刷抜けの原因となる。
【０００５】
このような塗工液４の原紙２に対する接着力不足を解消させる対策として従来考えられているものの一般的なものとしては、塗工液４の接着剤の種類、配合を変えることによって対処しようとする方法があり、又、その他の方法として、原紙２の表面に塗布された塗工液４に直接的にエアを吹き付けて塗工液４が原紙２に浸透することを促進させるようにする方法がある。
【０００６】
【発明が解決しようとする課題】
ところが、前者の塗工液の接着剤の種類、配合を変える方法の場合は、塗工液の流動性が従来の塗工液と変化することがあり、又、印刷時にインクの着肉性が悪くなることがあり、根本的に塗工液の物理的な浸透を改良することは不可能であるので、接着性が著しく向上することは期待できない、という問題があり、又、後者のエア吹付けにより浸透を促進させる方法の場合は、エアを直接塗工液に吹き付けることにより、塗工液の表面を乱すことになって、カーテンコータの特長の１つである塗工液の表面性が損われる、という問題がある。
【０００７】
そこで、本発明は、カーテンコータの特長を生かしながら塗工液の原紙に対する接着力を強化させるようにしようとするものである。
【０００８】
【課題を解決するための手段】
本発明は、上記課題を解決するために、コータロールに巻回されて走行する原紙の表面にカーテンコータヘッドから塗工液をカーテン状に流下させて直接塗布させるようにしてあるカーテンコータにおける上記塗工液塗布位置の直後の位置で、外周面に長手方向へ所要間隔で環状の溝を設け且つ該溝の部分に多数の吸引孔を穿設したサクションロールにより、原紙の裏面から吸引力を作用させて原紙に対する塗工液の接着力を強化させるようにするカーテンコータにおける塗工液接着力強化方法及び装置とする。
【０００９】
外周面に長手方向へ所要間隔で環状の溝を設け且つ該溝の部分に多数の吸引孔を穿設したサクションロールにより吸引力を作用させると、原紙の裏面側が紙幅方向に均一に吸引されることになり、原紙への塗工液の浸透が促進され、原紙に対する塗工液の接着力が強化される。
【００１０】
又、外周面に長手方向へ所要間隔で環状の溝を設け且つ該溝の部分に多数の吸引孔を穿設したサクションロールの吸引力を任意にコントロールするようにすると、原紙への塗工液の浸透度合いを調整することができるようになる。
【００１１】
【発明の実施の形態】
以下、本発明の実施の形態を図面を参照して説明する。
【００１２】
図１は本発明の実施の一形態を示すもので、コータロール１に巻回された原紙２を下流側へやや上向き角度で走行させてガイドロール３に沿わせるようにし、且つ該コータロール１を通過した原紙２の直上方位置にカーテンコータヘッド５を設置し、該カーテンコータヘッド５から塗工液４をカーテン４ａとして流下させて原紙２の表面に直接塗布させるようにしてある構成において、上記ガイドロール３の下流側に、更にガイドロール６を設けて、上流側のガイドロール３と下流側のガイドロール６の間の位置、すなわち、上流側のガイドロール３を通過して下流側のガイドロール６に沿わされる原紙２の下方位置に、原紙２の幅寸法に対応する長さとして、上面に多数の吸引口を有し且つ内部を真空吸引装置７に連通させた吸引ボックス８を、上面を原紙２の裏面に接近させて配設し、カーテンコータヘッド５から流下されて原紙２の表面に塗布された塗工液４が流動性を失わないうちに原紙２の裏面から吸引力を作用させて、原紙２の繊維の隙間に塗工液を含浸させる、いわゆる浸透を促進させるようにする。
【００１３】
吸引ボックス８に接続した真空吸引装置７を作動させて吸引力を発生させると、吸引ボックス８の上面の吸引口より原紙２の裏面側が紙幅方向に均一に吸引される。吸引ボックス８は、カーテンコータヘッド５から塗工液４が原紙２の表面に塗布された直後の位置に設置されているので、塗工液４が塗布された直後で未だ塗工液４が流動性を失わないうちに原紙２の裏面から吸引作用を受けることになり、原紙２への塗工液４の浸透が促進され、原紙２に対する塗工液４の接着力が強化される。
【００１４】
上記において、吸引ボックス８による吸引力は任意にコントロールすることができ、吸引力をコントロールしながら実施することにより、原紙２への塗工液４の浸透の度合いを調整することができる。
【００１５】
吸引ボックス８により原紙２の裏面に作用させる吸引力としては、ゲージ圧で、たとえば、−１００〜−４０００ｍｍａｑとする。
【００１６】
次に、図２は本発明の実施の他の形態を示すもので、図１に示す吸引ボックス８に代えて、先端に原紙２の幅方向に延びるスリット状の吸引口を有し、且つ真空吸引装置７に接続させた吸引ヘッド９を複数個用意して、各吸引ヘッド９を上向きとして原紙２の走行方向に並べて配設し、各吸引ヘッド９で原紙２の裏面より吸引させるようにしたものである。
【００１７】
この実施の形態においても、原紙２の幅方向に均一な圧力で吸引することができるので、カーテンコータヘッド５から原紙２の表面に塗布された塗工液４の原紙２への浸透を促進させることができる。
【００１８】
又、図３は本発明の実施の更に他の形態を示すもので、コータロール１に巻回された原紙２を下流側へやや上向き角度で走行させてガイドロール３に沿わせるようにして、コータロール１を通過した原紙２の直上位置にカーテンコータヘッド５を設置した構成としたカーテンコータにおいて、上記ガイドロール３に代えて、サクションロール１０を用い、更に、その下流側に、別のサクションロール１１を用い、両サクションロール１０，１１により原紙２の裏面より吸引して、原紙２両面の塗工液４の原紙２への浸透を促進させるようにしたもので、サクションロール１０，１１としては、外周面に長手方向へ一定間隔で環状の溝１２を設け且つ該溝１２の部分に周方向一定のピッチで多数の吸引孔１３を穿設して回転自在としたロールシェル１４と、図示しない真空吸引装置に連通させて該ロールシェル１４の原紙２を沿わせる領域の内側に静止させるように収納させた吸引ボックス１５とを有する構造のものを用い、原紙２を沿わせるときに該原紙２の裏面の全幅が必ずいずれかの溝１２の上を通過するように、サクションロール１０と１１で溝１２の位相をずらすように設定してある。
【００１９】
この実施の形態においても、サクションロール１０，１１による原紙２の裏面全幅からの吸引力により、原紙２の表面に塗布された塗工液４の原紙２への浸透を促進させることができて、塗工表面を乱すことなく接着性を向上させることができる。
【００２０】
なお、図３（イ）（ロ）の実施の形態で示したサクションロール１０，１１の溝１２の数は任意に選定し得ること、その他本発明の要旨を逸脱しない範囲内において種々変更を加え得ることは勿論である。
【００２１】
【発明の効果】
以上述べた如く、本発明によれば、コータロールに巻回されて走行する原紙の表面にカーテンコータヘッドから塗工液をカーテン状に流下させて直接塗布させるようにしてあるカーテンコータにおける上記塗工液塗布位置の直後の位置で、外周面に長手方向へ所要間隔で環状の溝を設け且つ該溝の部分に多数の吸引孔を穿設したサクションロールにより、原紙の裏面から吸引力を作用させて原紙に対する塗工液の接着力を強化させるようにするカーテンコータにおける塗工液接着力強化方法及び装置としてあるので、塗布された塗工液の流動性が失われる前に原紙の裏面から吸引作用を与えることができて、原紙への塗工液の浸透を促進できることにより、塗工表面を乱すことなく原紙に対する塗工液の接着性を著しく向上させることができて、印刷適正を向上させることができ、又、外周面に長手方向へ所要間隔で環状の溝を設け且つ該溝の部分に多数の吸引孔を穿設したサクションロールの吸引力を任意にコントロールすることにより、原紙への塗工液の浸透の度合いを調整することができて有利となる、等の優れた効果を発揮する。
【図面の簡単な説明】
【図１】本発明のカーテンコータにおける塗工液接着力強化装置の実施の一形態を示す概略図である。
【図２】本発明の実施の他の形態を示す概略図である。
【図３】本発明の実施の更に他の形態を示すもので、（イ）は全体の概略図、（ロ）は（イ）のＡ−Ａ方向矢視図である。
【図４】カーテンコータの一例を示す概略図である。
【符号の説明】
１  コータロール
２  原紙
４  塗工液
４ａ  カーテン
５  カーテンコータヘッド
８  吸引ボックス
９  吸引ヘッド
１０，１１  サクションロール
１２  溝
１３  吸引孔
【図１】
0004706112.tif 000002
【図２】
0004706112.tif 000003
【図３】
0004706112.tif 000004
【図４】
0004706112.tif 000005